(57)【要約】【課題】より安心して利用され得る金属閉鎖型スイッチギヤを提供する。【解決手段】一つの実施形態に係る金属閉鎖型スイッチギヤは、箱体と、扉と、後壁と、上壁と、仕切壁とを備える。前記箱体に、上段電気系統と下段電気系統とが設けられる。前記扉は、前記箱体に設けられ、上段遮断器室と下段遮断器室とを開閉可能である。前記後壁は、前記扉の反対側に位置し、上段ケーブル室に連通する第１の通気口が設けられる。前記上壁は、前記上段電気系統の上方に位置し、前記上段ケーブル室に連通する第１の開口を前記上段ケーブル室の圧力上昇時に開放するよう構成された第１のフラッパと、前記上段ケーブル室に連通する第２の通気口と、が設けられる。前記仕切壁に、前記下段遮断器室、下段ケーブル室、又は下段母線室の圧力上昇時に前記上段ケーブル室に連通する第２の開口を開放するよう構成された第２のフラッパ、が設けられる。【選択図】図１
2018078715.tif 000002
【特許請求の範囲】
【請求項１】
上段遮断器室、上段ケーブル室、及び上段母線室を有する上段電気系統と、前記上段電気系統よりも下段に位置する下段遮断器室、下段ケーブル室、及び下段母線室を有する下段電気系統と、が設けられた箱体と、
前記箱体に設けられ、前記上段遮断器室と前記下段遮断器室とを開閉可能な扉と、
前記箱体に設けられ、前記扉の反対側に位置し、前記上段ケーブル室に連通する第１の通気口が設けられた後壁と、
前記箱体に設けられるとともに前記上段電気系統の上方に位置し、前記上段ケーブル室に連通する第１の開口を塞ぐとともに前記上段ケーブル室の圧力上昇時に当該第１の開口を開放するよう構成された第１のフラッパと、前記上段ケーブル室に連通する第２の通気口と、が設けられた上壁と、
前記箱体に設けられ、前記上段遮断器室、前記上段ケーブル室、前記上段母線室、前記下段遮断器室、前記下段ケーブル室、及び前記下段母線室を仕切り、前記上段ケーブル室と前記下段遮断器室、前記下段ケーブル室、及び前記下段母線室のうち一つとを連通させる第２の開口を塞ぐとともに当該第２の開口が連通する前記下段遮断器室、前記下段ケーブル室、又は前記下段母線室の圧力上昇時に当該第２の開口を開放するよう構成された第２のフラッパ、が設けられた仕切壁と、
を具備する金属閉鎖型スイッチギヤ。
【請求項２】
前記上段ケーブル室に設けられ、前記上段ケーブル室の圧力上昇時に前記第１の通気口を塞ぐよう構成された第１の閉塞部材、をさらに具備する請求項１の金属閉鎖型スイッチギヤ。
【請求項３】
前記第２のフラッパは、前記上段ケーブル室の方へ開くよう構成された、請求項１又は請求項２の金属閉鎖型スイッチギヤ。
【請求項４】
第２の閉塞部材を有し、
前記第２の開口は、前記下段ケーブル室と前記上段ケーブル室とを連通するとともに前記上壁に向かって開口し、
前記仕切壁に、前記下段ケーブル室と前記上段ケーブル室とを連通する第３の通気口が設けられ、
前記第２の閉塞部材は、前記下段ケーブル室の圧力上昇時に前記第３の通気口を塞ぐよう構成された、
請求項１乃至請求項３のいずれか一つの金属閉鎖型スイッチギヤ。
【請求項５】
前記第２の閉塞部材は、前記上段ケーブル室の圧力上昇時に前記第３の通気口を開放するよう構成された、請求項４の金属閉鎖型スイッチギヤ。
【発明の詳細な説明】
【技術分野】
【０００１】
本発明の実施形態は、金属閉鎖型スイッチギヤに関する。
【背景技術】
【０００２】
金属閉鎖型スイッチギヤとして、例えばアークの発生により上昇した箱体の内部の圧力を低下させるため、天井部の開口から外部にガスを放出するものが知られる。通常運転時において開口はフラッパによって塞がれており、当該フラッパは例えば、箱体の内部の圧力上昇により開放される。
【先行技術文献】
【特許文献】
【０００３】
【特許文献１】特開２０１４−９６８８２号公報
【発明の概要】
【発明が解決しようとする課題】
【０００４】
例えば、金属閉鎖型スイッチギヤがより確実に上方向に内部のガスを放出できるなら、当該金属閉鎖型スイッチギヤはより安心して利用され得る。
【課題を解決するための手段】
【０００５】
一つの実施形態に係る金属閉鎖型スイッチギヤは、箱体と、扉と、後壁と、上壁と、仕切壁とを備える。前記箱体は、上段遮断器室、上段ケーブル室、及び上段母線室を有する上段電気系統と、前記上段電気系統よりも下段に位置する下段遮断器室、下段ケーブル室、及び下段母線室を有する下段電気系統と、が設けられる。前記扉は、前記箱体に設けられ、前記上段遮断器室と前記下段遮断器室とを開閉可能である。前記後壁は、前記箱体に設けられ、前記扉の反対側に位置し、前記上段ケーブル室に連通する第１の通気口が設けられる。前記上壁は、前記箱体に設けられるとともに前記上段電気系統の上方に位置し、前記上段ケーブル室に連通する第１の開口を塞ぐとともに前記上段ケーブル室の圧力上昇時に当該第１の開口を開放するよう構成された第１のフラッパと、前記上段ケーブル室に連通する第２の通気口と、が設けられる。前記仕切壁は、前記箱体に設けられ、前記上段遮断器室、前記上段ケーブル室、前記上段母線室、前記下段遮断器室、前記下段ケーブル室、及び前記下段母線室を仕切り、前記上段ケーブル室と前記下段遮断器室、前記下段ケーブル室、及び前記下段母線室のうち一つとを連通させる第２の開口を塞ぐとともに当該第２の開口が連通する前記下段遮断器室、前記下段ケーブル室、又は前記下段母線室の圧力上昇時に当該第２の開口を開放するよう構成された第２のフラッパ、が設けられる。
【図面の簡単な説明】
【０００６】
【図１】図１は、一つの実施形態に係る金属閉鎖型スイッチギヤを概略的に示す断面図である。
【図２】図２は、一つの実施形態の通常時の金属閉鎖型スイッチギヤを示す断面図である。
【図３】図３は、一つの実施形態の上段ケーブル室において圧力上昇が生じたときの金属閉鎖型スイッチを示す断面図である。
【図４】図４は、一つの実施形態の下段ケーブル室において圧力上昇が生じたときの金属閉鎖型スイッチを示す断面図である。
【発明を実施するための形態】
【０００７】
以下に、一つの実施形態について、図１乃至図４を参照して説明する。なお、本明細書においては基本的に、鉛直上方を上方向、鉛直下方を下方向と定義する。また、本明細書において、実施形態に係る構成要素及び当該要素の説明について、複数の表現が記載されることがある。複数の表現がされた構成要素及び説明は、記載されていない他の表現がされても良い。さらに、複数の表現がされない構成要素及び説明も、記載されていない他の表現がされても良い。
【０００８】
図１は、一つの実施形態に係る金属閉鎖型スイッチギヤ１０を概略的に示す断面図である。本実施形態の金属閉鎖型スイッチギヤ１０は、例えば、二回線受電構成の二段積みの金属閉鎖型スイッチギヤである。なお、金属閉鎖型スイッチギヤ１０は、この例に限らない。
【０００９】
各図面に示されるように、本明細書において、Ｘ軸及びＺ軸が定義される。Ｘ軸とＺ軸とは、互いに直交する。Ｘ軸は、金属閉鎖型スイッチギヤ１０の奥行きに沿う。Ｚ軸は、金属閉鎖型スイッチギヤ１０の高さに沿う。
【００１０】
図１に示すように、金属閉鎖型スイッチギヤ１０は、箱体１１と、収容機器１２とを有する。箱体１１は、例えば、筐体とも称され得る。箱体１１は、収容部２１と、正面扉２２とを有する。正面扉２２は、扉の一例である。
【００１１】
収容部２１は、Ｘ軸に沿う正方向（Ｘ軸の矢印が示す方向、前方向）に開放された略箱型に形成される。言い換えると、収容部２１の前方向の端部に、開口端２１ａが設けられる。開口端２１ａは、凹状の収容部２１の内部が開口する部分である。収容部２１は、他の形状を有しても良い。
【００１２】
正面扉２２は、収容部２１の内部を開閉可能に、例えばヒンジによって、収容部２１に取り付けられる。正面扉２２は、収容部２１の開口端２１ａを塞ぎ、箱体１１の前方向の端部に位置する。言い換えると、正面扉２２は、箱体１１に設けられる。
【００１３】
収容部２１は、天井板２５と、背面板２６と、床板２７とを有する。言い換えると、天井板２５と、背面板２６と、床板２７とは、箱体１１に設けられる。天井板２５は、上壁の一例である。背面板２６は、後壁の一例である。
【００１４】
天井板２５は、収容部２１のＺ軸に沿う正方向（Ｚ軸の矢印が示す方向、上方向）の端部に位置する。背面板２６は、収容部２１のＸ軸に沿う負方向（Ｘ軸の矢印の反対方向、後方向）の端部に位置する。床板２７は、収容部２１のＺ軸に沿う負方向（Ｚ軸の矢印の反対方向、下方向）の端部に位置する。
【００１５】
正面扉２２は、背面板２６から前方向に離間する。背面板２６は、正面扉２２の反対側に位置する。天井板２５は、床板２７から上方向に離間する。床板２７は、天井板２５の反対側に位置する。
【００１６】
金属閉鎖型スイッチギヤ１０が設置される場合、例えば、床板２７は地面に接触して支持される。なお、例えば、床板２７に取り付けられたゴム脚等が地面に接触し、床板２７が地面から離間しても良い。このように、床板２７は地面に向く。さらに、天井板２５は、例えば、建物の天井に向く。金属閉鎖型スイッチギヤ１０は、天井板２５と建物の天井との間が離間するように設置される。
【００１７】
また、正面扉２２は、保守員等が通行可能な空間（例えば通路）に面する。一方、背面板２６は、建物の壁に向く。金属閉鎖型スイッチギヤ１０は、背面板２６と建物の壁との間が離間するように設置される。なお、金属閉鎖型スイッチギヤ１０の設置態様は、ここで説明された例に限らない。
【００１８】
箱体１１の内部に、上段電気系統３１と、下段電気系統３２とが設けられる。なお、本実施形態では二つの電気系統３１，３２が箱体１１に設けられるが、これより多い電気系統が箱体１１に設けられても良い。また、ケーブルのような上段電気系統３１及び下段電気系統３２を形成する部品の一部が、箱体１１の外部にあっても良い。
【００１９】
箱体１１に、仕切板３５が設けられる。仕切板３５は、仕切壁の一例である。仕切板３５は、収容部２１の内部に設けられるとともに、上段電気系統３１と下段電気系統３２とを仕切る。
【００２０】
上段電気系統３１は、上段遮断器室４１と、上段ケーブル室４２と、上段母線室４３とを有する。上段電気系統３１は、他の構成を有しても良い。上段遮断器室４１、上段ケーブル室４２、及び上段母線室４３は、仕切板３５によって仕切られる。なお、例えば孔や隙間によって、上段遮断器室４１、上段ケーブル室４２、及び上段母線室４３が連通しても良い。
【００２１】
上段遮断器室４１は、上段ケーブル室４２及び上段母線室４３よりも、正面扉２２に近い位置に設けられる。言い換えると、上段遮断器室４１は、箱体１１の正面側に設けられる。
【００２２】
上段ケーブル室４２及び上段母線室４３は、上段遮断器室４１よりも背面板２６に近い位置に設けられる。言い換えると、上段ケーブル室４２及び上段母線室４３は箱体１１の背面側に設けられる。
【００２３】
仕切板３５は、第１の上段隔壁４５と、第２の上段隔壁４６とを有する。第１の上段隔壁４５は、Ｘ軸に沿う方向における箱体１１の略中央に設けられ、上段遮断器室４１と、上段ケーブル室４２及び上段母線室４３と、を仕切る。言い換えると、第１の上段隔壁４５は、箱体１１の内部を正面側と背面側とに仕切る。
【００２４】
第２の上段隔壁４６は、Ｌ字状に形成され、第１の上段隔壁４５の中間部と天井板２５とに接続される。第２の上段隔壁４６は、上段ケーブル室４２と上段母線室４３とを仕切る。
【００２５】
下段電気系統３２は、下段遮断器室５１と、下段ケーブル室５２と、下段母線室５３とを有する。下段電気系統３２は、他の構成を有しても良い。下段遮断器室５１、下段ケーブル室５２、及び下段母線室５３は、仕切板３５によって仕切られる。
【００２６】
下段遮断器室５１、下段ケーブル室５２、及び下段母線室５３は、上段電気系統３１よりも下段に位置する。言い換えると、上段電気系統３１は、下段遮断器室５１、下段ケーブル室５２、及び下段母線室５３を有する下段電気系統３２の上に積まれる。
【００２７】
下段遮断器室５１、下段ケーブル室５２、及び下段母線室５３はそれぞれ、上段電気系統３１の少なくとも一部よりも下方向に位置する。なお、上段電気系統３１の一部が、下段電気系統３２と同じ高さにあっても良いし、下段電気系統３２よりも下にあっても良い。
【００２８】
下段遮断器室５１は、下段ケーブル室５２及び下段母線室５３よりも、正面扉２２に近い位置に設けられる。言い換えると、下段遮断器室５１は、箱体１１の正面側に設けられる。
【００２９】
下段ケーブル室５２及び下段母線室５３は、下段遮断器室５１よりも背面板２６に近い位置に設けられる。言い換えると、下段ケーブル室５２及び下段母線室５３は箱体１１の背面側に設けられる。
【００３０】
仕切板３５は、第１の下段隔壁５５と、第２の下段隔壁５６と、第３の下段隔壁５７とをさらに有する。第１の下段隔壁５５は、Ｘ軸に沿う方向における箱体１１の略中央に設けられ、下段遮断器室５１と、下段ケーブル室５２及び下段母線室５３と、を仕切る。言い換えると、第１の下段隔壁５５は、箱体１１の内部を正面側と背面側とに仕切る。第１の下段隔壁５５は、第１の上段隔壁４５に連続する。
【００３１】
第２の下段隔壁５６は、Ｌ字状に形成され、第１の下段隔壁５５の中間部と床板２７とに接続される。第３の下段隔壁５７は、Ｌ字状に形成され、第２の下段隔壁５６の上面５６ａと第１の下段隔壁５５とに接続される。上面５６ａは、上方向に向く。
【００３２】
第２の下段隔壁５６及び第３の下段隔壁５７は、下段ケーブル室５２と下段母線室５３とを仕切る。さらに、第２の下段隔壁５６及び第３の下段隔壁５７は、下段ケーブル室５２及び下段母線室５３と、上段ケーブル室４２とを仕切る。上段ケーブル室４２は、床板２７の床面２７ａから天井板２５の天井面２５ａまで形成される。
【００３３】
仕切板３５は、中間板５９をさらに有する。中間板５９は、箱体１１のＺ軸に沿う方向における略中央に設けられ、第１の上段隔壁４５から収容部２１の開口端２１ａまで延びる。中間板５９は、上段遮断器室４１と下段遮断器室５１とを仕切る。
【００３４】
Ｘ軸に沿う方向において、上段母線室４３は、上段遮断器室４１と上段ケーブル室４２との間に位置する。さらに、下段母線室５３は、下段遮断器室５１と上段ケーブル室４２との間に位置し、下段ケーブル室５２は、下段遮断器室５１と上段ケーブル室４２との間に位置する。
【００３５】
下段ケーブル室５２は、第２の下段隔壁５６を介して上段ケーブル室４２に隣接する。下段母線室５３は、第３の下段隔壁５７を介して上段ケーブル室４２に隣接する。さらに、下段遮断器室５１は、第１の下段隔壁５５を介して上段ケーブル室４２に隣接する。
【００３６】
収容機器１２は、上段遮断器６１と、上段上部断路部６２と、上段下部断路部６３と、上段主回路導体６４と、上段母線６５と、下段遮断器７１と、下段上部断路部７２と、下段下部断路部７３と、下段主回路導体７４と、下段母線７５とを含む。収容機器１２は、他の機器を含んでも良い。
【００３７】
上段遮断器６１は、例えば真空遮断器（ＶＣＢ）であり、上段遮断器室４１に収容される。上段上部断路部６２は、第１の上段隔壁４５に固定され、上段遮断器６１の上部導体６１ａに接続される。上段下部断路部６３は、第１の上段隔壁４５に固定され、上段遮断器６１の下部導体６１ｂに接続される。
【００３８】
上段主回路導体６４は、上段ケーブル室４２に収容され、上段下部断路部６３に接続される。上段主回路導体６４は、例えばＬ字状に形成され、電力ケーブルが接続される。上段母線６５は、上段母線室４３に収容され、上段上部断路部６２に接続される。上段母線６５は、例えば隣接する盤に接続される。
【００３９】
下段遮断器７１は、例えばＶＣＢであり、下段遮断器室５１に収容される。下段上部断路部７２は、第１の下段隔壁５５に固定され、下段遮断器７１の上部導体７１ａに接続される。下段下部断路部７３は、第１の下段隔壁５５に固定され、下段遮断器７１の下部導体７１ｂに接続される。
【００４０】
下段主回路導体７４は、下段ケーブル室５２に収容され、下段下部断路部７３に接続される。下段主回路導体７４は、例えばＬ字状に形成され、電力ケーブルが接続される。下段母線７５は、下段母線室５３に収容され、下段上部断路部７２に接続される。下段母線７５は、例えば隣接する盤に接続される。
【００４１】
前方向における上段遮断器室４１及び下段遮断器室５１の端部は、収容部２１の開口端２１ａの少なくとも一部を形成する。このため、正面扉２２は、上段遮断器室４１と下段遮断器室５１とを開閉可能である。すなわち、正面扉２２が開けられると、上段遮断器室４１及び下段遮断器室５１が箱体１１の外部に開放され、上段遮断器６１及び下段遮断器７１が露出される。さらに、正面扉２２が閉じられると、上段遮断器室４１及び下段遮断器室５１が閉塞される。正面扉２２は、ロック２２ａを有する。ロック２２ａは、例えば鍵付きのレバーハンドルであり、正面扉２２を閉じられた状態に保持できる。
【００４２】
天井板２５は、上段電気系統３１の上方に位置し、上段遮断器室４１、上段ケーブル室４２、及び上段母線室４３に面する。天井板２５に、第１の天井開口８１と、第２の天井開口８２と、第３の天井開口８３とが設けられる。第３の天井開口８３は、第１の開口の一例である。
【００４３】
第１の天井開口８１は、上段遮断器室４１に連通する。第２の天井開口８２は、上段母線室４３に連通する。第３の天井開口８３は、上段ケーブル室４２に連通する。第１乃至第３の天井開口８１〜８３は、上方向に向かって箱体１１の外部に開放されるよう設けられる。すなわち、上段電気系統３１は、第１乃至第３の天井開口８１〜８３によって、金属閉鎖型スイッチギヤ１０の外部に連通される。
【００４４】
さらに、天井板２５に、第１の天井フラッパ８５と、第２の天井フラッパ８６と、第３の天井フラッパ８７とが設けられる。第３の天井フラッパ８７は、第１のフラッパの一例である。
【００４５】
第１乃至第３の天井フラッパ８５〜８７は、天井板２５の一部であり、例えば天井板２５に溝（スリット）を設けることで形成される。なお、第１乃至第３の天井フラッパ８５〜８７は、天井板２５に取り付けられた別個の部品であっても良い。
【００４６】
図２は、本実施形態の通常時の金属閉鎖型スイッチギヤ１０を示す断面図である。金属閉鎖型スイッチギヤ１０は、例えば、設置される前、及び設置されて使用されるとき、図２に示された状態になっている。以下、図２に示される金属閉鎖型スイッチギヤ１０を、通常時の金属閉鎖型スイッチギヤ１０と称する。
【００４７】
図２に示すように、第１の天井フラッパ８５は、第１の天井開口８１を塞ぐ。第２の天井フラッパ８６は、第２の天井開口８２を塞ぐ。第３の天井フラッパ８７は、第３の天井開口８３を塞ぐ。なお、第１乃至第３の天井フラッパ８５〜８７と第１乃至第３の天井開口８１〜８３の縁との間の隙間を、ガスが通過可能であっても良い。
【００４８】
第１乃至第３の天井フラッパ８５〜８７は、図１に示すように、例えば折れることで第１乃至第３の天井開口８１〜８３を開放できる。第１乃至第３の天井フラッパ８５〜８７の折れる部分に、例えばミシン目状の複数の孔が設けられ、第１乃至第３の天井フラッパ８５〜８７が折れやすくなっている。
【００４９】
図２に示すように、第３の天井フラッパ８７に、複数の排気口８７ａが設けられる。排気口８７ａは、第２の通気口の一例である。すなわち、排気口８７ａは、天井板２５の一部に設けられる。複数の排気口８７ａは、例えば打ち抜きによって第３の天井フラッパ８７に形成される。なお、第１の天井フラッパ８５及び第２の天井フラッパ８６にさらに複数の排気口が設けられても良い。
【００５０】
通常時において、排気口８７ａは、上段ケーブル室４２に連通する。排気口８７ａは、上方向に向かって箱体１１の外部に開放されるよう設けられる。複数の排気口８７ａの断面積の合計は、開放された第３の天井開口８３の断面積よりも小さい。
【００５１】
図１に示すように、第１の下段隔壁５５に、第１の下段開口９１が設けられる。第２の下段隔壁５６の上面５６ａに、第２の下段開口９２が設けられる。第３の下段隔壁５７の背面５７ａに、第３の下段開口９３が設けられる。第２の下段開口９２は、第２の開口の一例である。背面５７ａは、背面板２６に向く。
【００５２】
下段遮断器室５１は、凸室５１ａを有する。凸室５１ａは、下段ケーブル室５２及び下段母線室５３よりも上方向に位置する部分であり、第１の下段隔壁５５を介して上段ケーブル室４２に隣接する。第１の下段開口９１は、下段遮断器室５１の凸室５１ａと上段ケーブル室４２とを連通する。
【００５３】
第２の下段開口９２は、下段ケーブル室５２と上段ケーブル室４２とを連通し、天井板２５に向かって開口する。第３の下段開口９３は、下段母線室５３と上段ケーブル室４２とを連通する。すなわち、下段電気系統３２の下段遮断器室５１、下段ケーブル室５２、及び下段母線室５３は、第１乃至第３の下段開口９１〜９３により、上段ケーブル室４２に連通される。
【００５４】
第１の下段隔壁５５に、第１の下段フラッパ９５が設けられる。第２の下段隔壁５６に、第２の下段フラッパ９６が設けられる。第３の下段隔壁５７に、第３の下段フラッパ９７が設けられる。第２の下段フラッパ９６は、第２のフラッパの一例である。
【００５５】
第１乃至第３の下段フラッパ９５〜９７は、仕切板３５の一部であり、例えば仕切板３５に溝（スリット）を設けることで形成される。なお、第１乃至第３の下段フラッパ９５〜９７は、仕切板３５に取り付けられた別個の部品であっても良い。
【００５６】
図２に示すように、第１の下段フラッパ９５は、第１の下段開口９１を塞ぐ。第２の下段フラッパ９６は、第２の下段開口９２を塞ぐ。第３の下段フラッパ９７は、第３の下段開口９３を塞ぐ。なお、第１乃至第３の下段フラッパ９５〜９７と第１乃至第３の下段開口９１〜９３の縁との間の隙間を、ガスが通過可能であっても良い。
【００５７】
第１乃至第３の下段フラッパ９５〜９７は、図１に示すように、例えば折れることで第１乃至第３の下段開口９１〜９３を開放できる。第１乃至第３の下段フラッパ９５〜９７の折れる部分に、例えばミシン目状の複数の孔が設けられ、第１乃至第３の下段フラッパ９５〜９７が折れやすくなっている。
【００５８】
第２の下段隔壁５６の背面５６ｂに、複数の通気口１０１が設けられる。通気口１０１は、第３の通気口の一例である。すなわち、通気口１０１は、仕切板３５に設けられる。複数の通気口１０１は、例えば打ち抜きによって第２の下段隔壁５６に形成される。
【００５９】
通気口１０１は、下段ケーブル室５２と上段ケーブル室４２とを連通する。第２の下段隔壁５６の背面５６ｂは、背面板２６に向く。このため、通気口１０１は、背面板２６に向かって開口する。なお、通気口１０１の向きはこの例に限らない。複数の通気口１０１の断面積の合計は、開放された第２の下段開口９２の断面積よりも小さい。
【００６０】
図２に示すように、第２の下段隔壁５６に、塞ぎフラッパ１０２が設けられる。塞ぎフラッパ１０２は、第２の閉塞部材の一例である。塞ぎフラッパ１０２は、例えば、下段ケーブル室５２に配置され、第２の下段隔壁５６に取り付けられる。なお、塞ぎフラッパ１０２は、第２の下段隔壁５６の一部であっても良い。
【００６１】
通常時において、塞ぎフラッパ１０２は折られており、通気口１０１から離間する。このため、通気口１０１は開放されており、下段ケーブル室５２と上段ケーブル室４２とを連通する。塞ぎフラッパ１０２の折られた部分に、例えばミシン目状の複数の孔が設けられ、塞ぎフラッパ１０２が折れやすくなっている。
【００６２】
背面板２６に、複数の吸気口１０５が設けられる。吸気口１０５は、第１の通気口の一例である。吸気口１０５は、排気口８７ａよりも下方向に位置する。複数の吸気口１０５は、例えば打ち抜きによって背面板２６に形成される。
【００６３】
吸気口１０５は、上段ケーブル室４２に連通する。吸気口１０５は、後方向に向かって箱体１１の外部に開放されるよう設けられる。吸気口１０５は、Ｚ軸に沿う方向において通気口１０１と略同一位置に設けられる。
【００６４】
上段ケーブル室４２に、塞ぎ板１０６と、複数のガイド１０７と、複数の付勢部材１０８とが設けられる。塞ぎ板１０６は、第１の閉塞部材の一例である。
【００６５】
塞ぎ板１０６は、複数の吸気口１０５に面し、吸気口１０５に対して接近及び離間するように移動可能である。塞ぎ板１０６が最も吸気口１０５に接近すると、塞ぎ板１０６は背面板２６に接触し、複数の吸気口１０５を塞ぐ。塞ぎ板１０６が吸気口１０５から離間すると、吸気口１０５が開放される。
【００６６】
複数のガイド１０７は、例えば背面板２６に取り付けられたボルトであり、背面板２６から前方向に延びる。複数のガイド１０７は、塞ぎ板１０６に設けられた孔に通され、移動する塞ぎ板１０６をガイドする。
【００６７】
複数の付勢部材１０８は、例えばコイルバネであり、ガイド１０７に取り付けられる。付勢部材１０８は、塞ぎ板１０６と背面板２６との間に介在し、塞ぎ板１０６を吸気口１０５から離間する方向に押す。このため、塞ぎ板１０６に外力が作用しない状態において、塞ぎ板１０６は吸気口１０５から離間し、吸気口１０５を開放する。
【００６８】
図２の矢印で示すように、通常時において、吸気口１０５から上段ケーブル室４２に、外部の空気が流入する。上段ケーブル室４２に流入した空気は、通気口１０１を通って下段ケーブル室５２に流入したり、上段ケーブル室４２の内部を上昇し、排気口８７ａを通って外部に排出されたりすることで、収容機器１２によって温度が上昇した金属閉鎖型スイッチギヤ１０を冷却する。
【００６９】
吸気口１０５は、排気口８７ａよりも下方向に位置する。このため、比較的冷たい空気が吸気口１０５から上段ケーブル室４２に流入し、金属閉鎖型スイッチギヤ１０の内部の比較的熱い空気（ガス）が排気口８７ａから排出される。これにより、より効率良く金属閉鎖型スイッチギヤ１０が冷却され得る。
【００７０】
図３は、本実施形態の上段ケーブル室４２において圧力上昇が生じたときの金属閉鎖型スイッチギヤ１０を示す断面図である。例えば、上段ケーブル室４２でアークが発生すると、上段ケーブル室４２の空気（ガス）の温度が上昇し、上段ケーブル室４２の圧力が上昇する。
【００７１】
上段ケーブル室４２の圧力が上昇すると、当該圧力によって塞ぎ板１０６が吸気口１０５に向かって押される。塞ぎ板１０６を押す力が付勢部材１０８の力よりも強いため、塞ぎ板１０６は背面板２６に接触し、吸気口１０５を塞ぐ。このように、塞ぎ板１０６は、上段ケーブル室４２の圧力上昇時に吸気口１０５を塞ぐ。これにより、上段ケーブル室４２の空気（ガス）が、吸気口１０５を通って金属閉鎖型スイッチギヤ１０の外部に出ることが抑制される。
【００７２】
上段ケーブル室４２の圧力が上昇すると、当該圧力によって第３の天井フラッパ８７が上方向に向かって押され、折れる。第３の天井フラッパ８７は、箱体１１の外部の方に開く。このように、第３の天井フラッパ８７は、上段ケーブル室４２の圧力上昇時に、第３の天井開口８３を開放する。
【００７３】
第３の天井開口８３の断面積は、排気口８７ａの断面積よりも大きい。このため、上段ケーブル室４２の空気（ガス）は、より速やかに第３の天井開口８３から金属閉鎖型スイッチギヤ１０の外部へ排出され、上段ケーブル室４２の圧力が低下する。上段ケーブル室４２の空気（ガス）は、例えば、保守員等が居ない空間である天井板２５と建物の天井との間の空間へ、略上方向に排出される。
【００７４】
塞ぎフラッパ１０２は、下段ケーブル室５２に配置され、下段ケーブル室５２の方へ開かれている。このため、上段ケーブル室４２の圧力上昇時、塞ぎフラッパ１０２は通気口１０１を開放しており、上段ケーブル室４２の空気（ガス）の一部が通気口１０１から下段ケーブル室５２に流入する。
【００７５】
下段ケーブル室５２に流入したガスは、下段ケーブル室５２の圧力を上昇させ、第２の下段フラッパ９６を押す。第２の下段フラッパ９６は、上方向に向かって押され、折れる。第２の下段フラッパ９６は、上段ケーブル室４２の方へ開く。これにより、上段ケーブル室４２と下段ケーブル室５２とが、通気口１０１よりも大きい第２の下段開口９２によって連通し、連通による容積拡大によって上段ケーブル室４２の圧力がより速やかに低下する。下段ケーブル室５２の空気（ガス）は、第２の下段開口９２から上方向に放出され、第３の天井開口８３に向かう。
【００７６】
第２の下段フラッパ９６は、上段ケーブル室４２の圧力上昇により、下方向に押され、折れても良い。言い換えると、第２の下段フラッパ９６は、下段ケーブル室５２の方へ開かれても良い。これにより、下段ケーブル室５２と上段ケーブル室４２とがより速やかに連通し、連通による容積拡大によって上段ケーブル室４２の圧力がより速やかに低下する。
【００７７】
さらに、第１の下段フラッパ９５及び第３の下段フラッパ９７が、上段ケーブル室４２の圧力上昇により押され、折れても良い。この場合、第１の下段フラッパ９５は下段遮断器室５１の方へ開き、第３の下段フラッパ９７は下段母線室５３の方へ開く。これにより、上段ケーブル室４２と、下段遮断器室５１及び下段母線室５３とが連通し、連通による容積拡大によって上段ケーブル室４２の圧力がより速やかに低下する。
【００７８】
図４は、本実施形態の下段ケーブル室５２において圧力上昇が生じたときの金属閉鎖型スイッチギヤ１０を示す断面図である。例えば、下段ケーブル室５２でアークが発生すると、下段ケーブル室５２の圧力が上昇する。
【００７９】
下段ケーブル室５２の圧力が上昇すると、当該圧力によって塞ぎフラッパ１０２が通気口１０１に向かって押される。これにより、塞ぎフラッパ１０２は、折れた状態から図４に示すように真っ直ぐになるよう折れ、第２の下段隔壁５６に接触して通気口１０１を塞ぐ。このように、塞ぎフラッパ１０２は、下段ケーブル室５２の圧力上昇時に通気口１０１を塞ぐ。これにより、下段ケーブル室５２の空気（ガス）が、通気口１０１を通って後方向に放出されることが抑制される。
【００８０】
下段ケーブル室５２の圧力が上昇すると、当該圧力によって第２の下段フラッパ９６が上方向に向かって押され、折れる。このように、第２の下段フラッパ９６は、下段ケーブル室５２の圧力上昇時に、第２の下段開口９２を開放する。第２の下段フラッパ９６は、上段ケーブル室４２の方へ開く。これにより、上段ケーブル室４２と下段ケーブル室５２とが第２の下段開口９２によって連通し、連通による容積拡大によって下段ケーブル室５２の圧力が速やかに低下する。
【００８１】
上段ケーブル室４２と下段ケーブル室５２とが連通することで、上段ケーブル室４２の圧力が上昇する。これにより、上述のように塞ぎ板１０６が吸気口１０５を塞ぎ、第３の天井フラッパ８７が折れて第３の天井開口８３を開放する。上段ケーブル室４２の空気（ガス）は、第３の天井開口８３から速やかに金属閉鎖型スイッチギヤ１０の外部へ排出され、上段ケーブル室４２及び下段ケーブル室５２の圧力が低下する。
【００８２】
下段ケーブル室５２の空気（ガス）は、第２の下段開口９２から上方向に放出され、排気口８７ａ又は第３の天井開口８３に向かう。第２の下段開口９２から上方向に放出された空気は、第３の天井フラッパ８７を押しやすく、且つ第３の天井開口８３から排出されやすい。これにより、金属閉鎖型スイッチギヤ１０の内部のガスが第３の天井開口８３から略上方向に排出されやすくなる。
【００８３】
図１に示すように、例えば、上段遮断器室４１でアークが発生すると、上段遮断器室４１の圧力が上昇する。上段遮断器室４１の圧力が上昇すると、当該圧力によって第１の天井フラッパ８５が上方向に向かって押され、折れる。第１の天井フラッパ８５は、金属閉鎖型スイッチギヤ１０の外部の方へ開く。このように、第１の天井フラッパ８５は、上段遮断器室４１の圧力上昇時に、第１の天井開口８１を開放する。
【００８４】
例えば、上段母線室４３でアークが発生すると、上段母線室４３の圧力が上昇する。上段母線室４３の圧力が上昇すると、当該圧力によって第２の天井フラッパ８６が上方向に向かって押され、折れる。第２の天井フラッパ８６は、金属閉鎖型スイッチギヤ１０の外部の方へ開く。このように、第２の天井フラッパ８６は、上段母線室４３の圧力上昇時に、第２の天井開口８２を開放する。
【００８５】
第１及び第２の天井フラッパ８５，８６が、第１及び第２の天井開口８１，８２を開放すると、上段遮断器室４１及び上段母線室４３の空気（ガス）が、第１及び第２の天井開口８１，８２から金属閉鎖型スイッチギヤ１０の外部に排出される。これにより、上段遮断器室４１及び上段母線室４３の圧力が低下する。
【００８６】
例えば、下段遮断器室５１でアークが発生すると、下段遮断器室５１の圧力が上昇する。下段遮断器室５１の圧力が上昇すると、当該圧力によって第１の下段フラッパ９５が後方向に向かって押され、折れる。第１の下段フラッパ９５は、上段ケーブル室４２の方へ開く。このように、第１の下段フラッパ９５は、下段遮断器室５１の圧力上昇時に、第１の下段開口９１を開放する。
【００８７】
例えば、下段母線室５３でアークが発生すると、下段母線室５３の圧力が上昇する。下段母線室５３の圧力が上昇すると、当該圧力によって第３の下段フラッパ９７が後方向に向かって押され、折れる。第３の下段フラッパ９７は、上段ケーブル室４２の方へ開く。このように、第３の下段フラッパ９７は、下段母線室５３の圧力上昇時に、第３の下段開口９３を開放する。
【００８８】
第１及び第３の下段フラッパ９５，９７が、第１及び第３の下段開口９１，９３を開放すると、下段遮断器室５１及び下段母線室５３と上段ケーブル室４２とが連通する。これにより、下段遮断器室５１及び下段母線室５３の空気（ガス）が、第１及び第３の下段開口９１，９３から上段ケーブル室４２に放出され、下段遮断器室５１及び下段母線室５３の圧力が低下する。
【００８９】
下段遮断器室５１及び下段母線室５３と上段ケーブル室４２とが連通することで、上段ケーブル室４２の圧力が上昇する。これにより、上述のように塞ぎ板１０６が吸気口１０５を塞ぎ、第３の天井フラッパ８７が折れて第３の天井開口８３を開放する。上段ケーブル室４２の空気（ガス）は、第３の天井開口８３から速やかに金属閉鎖型スイッチギヤ１０の外部へ排出され、上段ケーブル室４２、下段遮断器室５１、及び下段母線室５３の圧力が低下する。
【００９０】
上述のように、下段電気系統３２の下段遮断器室５１、下段ケーブル室５２、及び下段母線室５３の圧力上昇時、下段遮断器室５１、下段ケーブル室５２、及び下段母線室５３は、上段ケーブル室４２に連通する。下段電気系統３２は、上段ケーブル室４２を介して金属閉鎖型スイッチギヤ１０の外部にガスを排出する。すなわち、上段ケーブル室４２は、下段電気系統３２のガスを天井板２５の第３の天井開口８３から外部に排出するための共通の流路として利用され得る。
【００９１】
以上説明された一つの実施形態に係る金属閉鎖型スイッチギヤ１０において、上段ケーブル室４２に連通する吸気口１０５と排気口８７ａとは、背面板２６と天井板２５とに設けられる。一般的に、保守員は、上段遮断器室４１及び下段遮断器室５１を開閉可能な正面扉２２の前で金属閉鎖型スイッチギヤ１０の保守作業を行う。すなわち、箱体１１の外部に開放される吸気口１０５及び排気口８７ａは、一般的に保守員から遠ざかる方へ開口する。また、アークによって上段電気系統３１の圧力が上昇した場合、天井板２５に設けられた第１乃至第３の天井フラッパ８５〜８７が第１乃至第３の天井開口８１〜８３を開放し、上段電気系統３１の空気（ガス）を上方向に放出する。さらに、アークによって下段電気系統３２の圧力が上昇した場合、仕切板３５に設けられた第１乃至第３の下段フラッパ９５〜９７が第１乃至第３の下段開口９１〜９３を開放し、下段電気系統３２のガスを上段ケーブル室４２と、第３の天井フラッパ８７により開放された第３の天井開口８３と、を通じて上方向に放出する。このため、アークが発生したとしても、保守員が居る可能性がある正面扉２２の前へ、箱体１１の内部の高温且つ高圧のガスが放出されることが防がれ、金属閉鎖型スイッチギヤ１０がより安心して利用され得る。
【００９２】
塞ぎ板１０６は、上段ケーブル室４２の圧力上昇時に吸気口１０５を塞ぐ。これにより、アークによって上段ケーブル室４２の圧力が上昇した場合、上段ケーブル室４２のガスが吸気口１０５を通らず、確実に第３の天井フラッパ８７により開放された第３の天井開口８３から上方向に放出される。これにより、アークが発生したとしても、保守員が居る可能性がある空間へ、箱体１１の内部の高温且つ高圧のガスが放出されることがより確実に防がれ、金属閉鎖型スイッチギヤ１０がより安心して利用され得る。
【００９３】
第１乃至第３の下段フラッパ９５〜９７は、上段ケーブル室４２の方へ開く。これにより、アークによって下段遮断器室５１、下段ケーブル室５２、又は下段母線室５３の圧力が上昇した場合、仕切板３５に設けられた第１乃至第３の下段フラッパ９５〜９７が第１乃至第３の下段開口９１〜９３を開放し、下段電気系統３２のガスを上段ケーブル室４２と、第３の天井フラッパ８７により開放された第３の天井開口８３と、を通じて上方向に放出する。このため、下段遮断器室５１、下段ケーブル室５２、又は下段母線室５３の圧力を低下させることができる。さらに、上段ケーブル室４２が下段電気系統３２のガスを天井板２５の第３の天井開口８３から外部に排出するための共通の流路として利用されるため、金属閉鎖型スイッチギヤ１０の通気経路が複雑となることが抑制される。
【００９４】
塞ぎフラッパ１０２は、下段ケーブル室５２の圧力が上昇した場合に、下段ケーブル室５２と上段ケーブル室４２とを連通する通気口１０１を塞ぐ。このため、下段ケーブル室５２の圧力が上昇すると、第２の下段フラッパ９６が天井板２５に向かって開口する第２の下段開口９２を開放し、下段ケーブル室５２のガスを上方向に向かって放出する。当該ガスは、第２の下段開口９２の上方向に位置する第３の天井開口８３から、上方向に向かって放出される。これにより、アークが発生したとしても、保守員が居る可能性がある空間へ、箱体１１の内部の高温且つ高圧のガスが放出されることがより確実に防がれ、金属閉鎖型スイッチギヤ１０がより安心して利用され得る。
【００９５】
塞ぎフラッパ１０２は、アークによって上段ケーブル室４２の圧力が上昇した場合に、通気口１０１を開放する。上段ケーブル室４２のガスは、通気口１０１から下段ケーブル室５２に流れ込み、第２の下段フラッパ９６を開けることで第２の下段開口９２から上方向に放出される。これにより、上段ケーブル室４２と、当該上段ケーブル室４２に連通する空間との容積が減少することが抑制される。さらに、アークが発生したとしても、保守員が居る可能性がある空間へ、箱体１１の内部の高温且つ高圧のガスが放出されることがより確実に防がれ、金属閉鎖型スイッチギヤ１０がより安心して利用され得る。
【００９６】
以上説明された少なくとも一つの実施形態によれば、上段ケーブル室に連通する第１の通気口と第２の通気口とが後壁と上壁とに設けられる。このため、金属閉鎖型スイッチギヤ１０がより安心して利用され得る。
【００９７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９８】
１０…金属閉鎖型スイッチギヤ、１１…箱体、１２…収容機器、２２…正面扉、２５…天井板、２６…背面板、３１…上段電気系統、３２…下段電気系統、３５…仕切板、４１…上段遮断器室、４２…上段ケーブル室、４３…上段母線室、５１…下段遮断器室、５２…下段ケーブル室、５３…下段母線室、８１…第１の天井開口、８２…第２の天井開口、８３…第３の天井開口、８５…第１の天井フラッパ、８６…第２の天井フラッパ、８７…第３の天井フラッパ、８７ａ…排気口、９１…第１の下段開口、９２…第２の下段開口、９３…第３の下段開口、９５…第１の下段フラッパ、９６…第２の下段フラッパ、９７…第３の下段フラッパ、１０１…通気口、１０２…塞ぎフラッパ、１０５…吸気口、１０６…塞ぎ板。
【図１】
2018078715.tif 000003
【図２】
2018078715.tif 000004
【図３】
2018078715.tif 000005
【図４】
2018078715.tif 000006